(57)【特許請求の範囲】
【請求項１】
複数本の走査線と複数本のデータ線との各交点位置にＥＬ素子をそれぞれ接続してなるＥＬディスプレイにおいて、各走査線を順次走査しながら、この走査に同期して走査された走査線に接続されるＥＬ素子にデータ線を介して発光電流を供給して画像を表示する画像表示期間と、画像を表示するための各種信号の同期を計る同期期間とを有し、該同期期間を画像表示期間に割り込ませるようにしたＥＬディスプレイの駆動方法であって、
前記同期期間中において、各データ線を開放した状態又はグランドに接続した状態とするとともに、前記走査線を１ライン走査するようにしたＥＬディスプレイの駆動方法。
【請求項２】
前記同期期間中における走査線の走査時間を、前記画像表示期間中における走査線の走査時間と同じとした請求項１に記載のＥＬディスプレイの駆動方法。
【請求項３】
前記同期期間中における走査線の走査時間を、前記画像表示期間の直前位置に設定した請求項１又は２に記載のＥＬディスプレイの駆動方法。
【請求項４】
前記画像表示期間中においては、前記ＥＬディスプレイの第１端部に位置する走査線から第２端部に位置する走査線に向かって順次走査し、第２端部に位置する走査線の走査が終了すると、再び第１端部に位置する走査線から走査を開始するものであって、
前記同期期間中においては、該同期期間直後に走査する走査線に隣接した走査線を１ライン走査するようにした請求項１〜３のいずれか１項に記載のＥＬディスプレイの駆動方法。
【請求項５】
前記走査線を走査する際、該走査線をグランドに接続するようにした請求項１〜４のいずれか１項に記載のＥＬディスプレイの駆動方法。
【請求項６】
前記ＥＬ素子は、有機ＥＬ素子である請求項１〜５のいずれか１項に記載のＥＬディスプレイの駆動方法。
【発明の詳細な説明】
【０００１】
【発明の属する技術分野】
本発明は、有機ＥＬ（エレクトロルミネッセンス）素子等を用いたＥＬディスプレイの駆動方法に関するものである。
【０００２】
【従来の技術】
近年、ＥＬディスプレイの１つである有機ＥＬディスプレイが注目されている。
【０００３】
図４に示すように、ＥＬディスプレイ装置１１は、マトリクス（格子）状に配置された複数本のデータ線Ａ１〜Ａｎ（図４において、２本のみ図示）と複数本の走査線Ｂ１〜Ｂｎ（図４において、４本のみ図示）との交点位置にそれぞれ有機ＥＬ素子Ｃ11〜Ｃnnが接続された有機ＥＬディスプレイ１２を備えている。各ＥＬ素子Ｃ11〜Ｃnnは、有機発光層の一端に陽極、他端に陰極を有しており、その陽極がデータ線Ａ１〜Ａｎにそれぞれ接続され、陰極が走査線Ｂ１〜Ｂｎにそれぞれ接続されている。そして、ＥＬ素子Ｃ11〜Ｃnnの非発光時においては、走査線Ｂ１〜Ｂｎが電源Ｖccに接続されるとともに、データ線Ａ１〜Ａｎからの出力がなく、グランドＧＮＤに接続又は開放されている。一方、ＥＬ素子Ｃ11〜Ｃnnの発光時には、選択された走査線Ｂ１〜ＢｎがグランドＧＮＤに切替接続されるとともに、データ線Ａ１〜Ａｎが各電流ドライブ回路Ｅ１〜Ｅｎに切替接続され、各ドライブ回路Ｅ１〜Ｅｎから選択されたラインのＥＬ素子Ｃ11〜Ｃnnに発光電流が供給される。
【０００４】
このような有機ＥＬディスプレイ装置１１の駆動方式の１つに、パッシブマトリクス駆動方式がある。この駆動方式は、走査線Ｂ１〜Ｂｎを例えばＥＬディスプレイ１２の上端（１ライン目）から下端（ｎライン目）に向かって１ラインずつ順次走査する（図５に示すように、走査線Ｂ１〜Ｂｎを順次グランドＧＮＤに接続し、グランドＧＮＤレベルとする）。又、この走査に同期してデータ線Ａ１〜ＡｎからＥＬ素子Ｃ11〜Ｃnnに対して表示すべき画像データに応じた電流量の発光電流を供給する。すると、ＥＬディスプレイ１２の１ライン目の走査線Ｂ１から順次走査してＥＬディスプレイ１２に画像が表示され、ｎライン目の走査線Ｂｎまで走査が終了すると、再び１ライン目の走査線Ｂ１から走査が開始され、次フレームの画像が表示されるようになっている。
【０００５】
【発明が解決しようとする課題】
ところで、上記したＥＬディスプレイ装置１１では、走査線Ｂ１〜Ｂｎを走査するタイミングを計るための信号や、データ線Ａ１〜Ａｎに発光電流を供給するタイミングを計るための信号等、画像を表示するための各種信号の同期を計る必要がある。そこで、ＥＬディスプレイ１２の走査が例えば下端（ｎライン目）の走査線Ｂｎから上端（１ライン目）の走査線Ｂ１に戻る際に、各種信号の同期が計られている。
【０００６】
従って、図４及び図５に示すように、同期期間中においては、全ての走査線Ｂ１〜Ｂｎが走査されず（全てが電源Ｖccに接続されており）、全てのデータ線Ａ１〜Ａｎからの出力がなく、グランドＧＮＤに接続された状態、又は開放された状態となっている。すると、全てのＥＬ素子Ｃ11〜Ｃnnの陰極（走査線Ｂ１〜Ｂｎ側の電極）の電位が陽極（データ線Ａ１〜Ａｎ側の電極）のそれよりも高くなり（逆バイアス電圧が生じて）、全てのＥＬ素子Ｃ11〜Ｃnnの寄生容量に逆方向の電荷が蓄積されることになる。
【０００７】
ここで、一般に、前記ＥＬ素子Ｃ11〜Ｃnnの寄生容量に逆方向の電荷が蓄積されている時には、該寄生容量に電荷が蓄積されていない時と比べて発光時の負荷が大きく、次にそのＥＬ素子Ｃ11〜Ｃnnが発光するまでの時間が長くなることが知られている。
【０００８】
そのため、同期期間直後である１ライン目のＥＬ素子Ｃ11〜Ｃ1nを発光させる際、全てのＥＬ素子Ｃ11〜Ｃnnの寄生容量に逆方向の電荷が蓄積しているので、発光時の負荷が大きく、１ライン目のＥＬ素子Ｃ11〜Ｃ1nが発光するまでに時間を要する。
【０００９】
一方、２ライン目以降のＥＬ素子Ｃ21〜Ｃnnを発光させる際には、その直前において、その上段の走査線Ｂ１〜Ｂn-1が走査されてグランドＧＮＤに接続されているため、上段ラインのＥＬ素子Ｃ11〜Ｃ(n-1)nには、逆バイアス電圧が生じず、該素子Ｃ11〜Ｃ(n-1)nの寄生容量には逆方向の電荷が蓄積されない。従って、１ライン分だけＥＬ素子Ｃ11〜Ｃ(n-1)nの寄生容量に逆方向の電荷が蓄積されていないため、その分、発光時の負荷が軽減され、２ライン目以降のＥＬ素子Ｃ21〜Ｃnnが発光するまでの時間が１ライン目のＥＬ素子Ｃ11〜Ｃ1nの発光時と比べて若干短くなる。
【００１０】
これにより、同期期間直後である１ライン目のＥＬ素子Ｃ11〜Ｃ1nの発光輝度が、２ライン目以降の他のＥＬ素子Ｃ21〜Ｃnnの発光輝度と比べて若干低くなってしまい、ＥＬ素子Ｃ11〜Ｃnnの発光輝度に差が生じるという問題があった。
【００１１】
本発明は前記の問題点に鑑みてなされたものであって、その目的は、各素子の発光輝度を均一化することができるＥＬディスプレイの駆動方法を提供することにある。
【００１２】
【課題を解決するための手段】
前記の目的を達成するため請求項１に記載の発明では、複数本の走査線と複数本のデータ線との各交点位置にＥＬ素子をそれぞれ接続してなるＥＬディスプレイにおいて、各走査線を順次走査しながら、この走査に同期して走査された走査線に接続されるＥＬ素子にデータ線を介して発光電流を供給して画像を表示する画像表示期間と、画像を表示するための各種信号の同期を計る同期期間とを有し、該同期期間を画像表示期間に割り込ませるようにしたＥＬディスプレイの駆動方法であって、前記同期期間中において、各データ線を開放した状態又はグランドに接続した状態とするとともに、前記走査線を１ライン走査するようにした。
【００１３】
この発明によれば、同期期間中においても画像表示期間中と同様に走査線が走査されるので、同期期間直後にＥＬ素子を発光させる場合と、それ以外の画像表示期間中でＥＬ素子を発光させる場合とが略同じ状況となる。そのため、各素子の発光輝度が均一化される。
【００１４】
請求項２に記載の発明は、請求項１に記載の発明において、前記同期期間中における走査線の走査時間を、前記画像表示期間中における走査線の走査時間と同じとした。
【００１５】
この発明によれば、両期間中の走査線の走査時間が同じであるため、同期期間直後にＥＬ素子を発光させる場合と、それ以外の画像表示期間中でＥＬ素子を発光させる場合とが略同じ状況となる。しかも、同期期間中における走査線の走査時間を特別に設定する必要がないため、同期期間中における走査線の走査が容易である。
【００１６】
請求項３に記載の発明は、請求項１又は２に記載の発明において、前記同期期間中における走査線の走査時間を、前記画像表示期間の直前位置に設定した。
この発明によれば、同期期間の走査線の走査時間が該期間より短い場合であっても、画像表示期間の直前に走査線が走査されるので、同期期間直後にＥＬ素子を発光させる場合と、それ以外の画像表示期間中でＥＬ素子を発光させる場合とが略同じ状況となる。
【００１７】
請求項４に記載の発明は、請求項１〜３のいずれか１項に記載の発明において、前記画像表示期間中においては、前記ＥＬディスプレイの第１端部に位置する走査線から第２端部に位置する走査線に向かって順次走査し、第２端部に位置する走査線の走査が終了すると、再び第１端部に位置する走査線から走査を開始するものであって、前記同期期間中においては、該同期期間直後に走査する走査線に隣接した走査線を１ライン走査するようにした。
【００１８】
この発明によれば、同期期間中においても画像表示期間中と同様に隣接した走査線が走査されるので、同期期間直後にＥＬ素子を発光させる場合と、それ以外の画像表示期間中でＥＬ素子を発光させる場合とが略同じ状況となる。そのため、各素子の発光輝度が均一化される。
【００１９】
請求項５に記載の発明は、請求項１〜４のいずれか１項に記載の発明において、前記走査線を走査する際、該走査線をグランドに接続するようにした。
この発明によれば、走査線を走査する際、該走査線はグランドに接続される。
【００２０】
請求項６に記載の発明は、請求項１〜５のいずれか１項に記載の発明において、前記ＥＬ素子は、有機ＥＬ素子である。
この発明によれば、ＥＬディスプレイを構成する有機ＥＬ素子の発光輝度が均一化される。
【００２１】
【発明の実施の形態】
以下、本発明を具体化した一実施形態を図面に従って説明する。
図３は、本実施形態のＥＬディスプレイ装置１を示す。本実施形態のＥＬディスプレイ装置１は、例えば携帯電話に使用され、カラー画像が表示可能なディスプレイ装置である。ＥＬディスプレイ装置１は、有機ＥＬディスプレイ２、データドライバ３、スキャンドライバ４及びコントローラ５を備えている。
【００２２】
有機ＥＬディスプレイ２には、図１に示すように、複数本（ｎ本）のデータ線Ａ１〜Ａｎ（図１において、２本のみ図示）と、複数本（ｎ本）の走査線Ｂ１〜Ｂｎ（図１において、４本のみ図示）とがマトリクス（格子）状に配置されている。各データ線Ａ１〜Ａｎと各走査線Ｂ１〜Ｂｎとの交点位置には、それぞれ有機ＥＬ素子Ｃ11〜Ｃnnが接続されている。各ＥＬ素子Ｃ11〜Ｃnnは、有機発光層の一端に陽極、他端に陰極を有しており、その陽極がデータ線Ａ１〜Ａｎにそれぞれ接続され、陰極が走査線Ｂ１〜Ｂｎにそれぞれ接続されている。ＥＬ素子Ｃ11〜Ｃnnは、供給される発光電流の電流量に応じて発光輝度が変化する。因みに、ＥＬ素子Ｃ11〜Ｃnnは、その発光色が走査線Ｂ１〜Ｂｎに沿って順に赤・緑・青（ＲＧＢ）の三原色となるように配置されており、カラー画像が表示できるように構成されている。そして、各データ線Ａ１〜Ａｎはデータドライバ３に接続され、各走査線Ｂ１〜Ｂｎはスキャンドライバ４に接続されている。
【００２３】
データドライバ３は、各データ線Ａ１〜Ａｎ毎にスイッチ回路Ｄ１〜Ｄｎを有している。スイッチ回路Ｄ１〜Ｄｎは、データ線Ａ１〜Ａｎをそれぞれ電流ドライブ回路Ｅ１〜Ｅｎと、低電位側電源（本実施形態では、グランドＧＮＤ）若しくは開放状態とに切り替える。データドライバ３は、表示すべき画像データに応じた発光電流を電流ドライブ回路Ｅ１〜Ｅｎから各データ線Ａ１〜Ａｎに供給する。
【００２４】
スキャンドライバ４は、各走査線Ｂ１〜Ｂｎ毎にスイッチ回路Ｆ１〜Ｆｎを有している。スイッチ回路Ｆ１〜Ｆｎは、走査線Ｂ１〜Ｂｎをそれぞれ高電位側電源Ｖccと低電位側電源（本実施形態では、グランドＧＮＤ）とに切り替える。スキャンドライバ４は、ＥＬ素子Ｃ11〜Ｃnnを発光させるラインの走査線Ｂ１〜Ｂｎを走査する。即ち、スキャンドライバ４は、走査線Ｂ１〜Ｂｎを高電位側電源ＶccからグランドＧＮＤに接続することで、該走査線Ｂ１〜Ｂｎを走査する。そして、このスキャンドライバ４及び前記データドライバ３は、コントローラ５により制御される。
【００２５】
コントローラ５は、ＥＬディスプレイ２の駆動方式の１つであるパッシブマトリクス駆動方式を用いて、入力される画像データをＥＬディスプレイ２に表示する。
【００２６】
具体的には、コントローラ５は、画像データに基づいて画像を表示する期間（画像表示期間）において、走査線Ｂ１〜ＢｎをＥＬディスプレイ２の上端（１ライン目）から下端（ｎライン目）に向かって１ラインずつ順次走査する。即ち、コントローラ５は、スキャンドライバ４内のスイッチ回路Ｆ１〜Ｆｎを切替制御し、ＥＬディスプレイ２の１ライン目から順次走査線Ｂ１〜ＢｎをグランドＧＮＤに接続し、図２に示すように、走査線Ｂ１〜Ｂｎを順次グランドＧＮＤレベルにする。このとき、コントローラ５は、各走査線Ｂ１〜Ｂｎを所定時間ｔだけグランドＧＮＤに接続する（グランドＧＮＤレベルにする）。
【００２７】
又、コントローラ５は、この走査線Ｂ１〜Ｂｎの走査に同期してデータドライバ３内のスイッチ回路Ｄ１〜Ｄｎを切替制御し、選択されたラインのＥＬ素子Ｃ11〜Ｃnnに対して、入力された画像データに応じた発光電流を電流ドライブ回路Ｅ１〜Ｅｎからデータ線Ａ１〜Ａｎを介して供給する。すると、選択されたラインのＥＬ素子Ｃ11〜Ｃnnは、供給された発光電流の電流量に基づいた発光輝度で発光する。尚、図２においては、データ線Ａ１に供給する駆動電流（データ）のみ図示している。そして、発光色が赤・緑・青（ＲＧＢ）に対応した各ＥＬ素子Ｃ11〜Ｃnnの発光輝度の組み合わせにより、ＥＬディスプレイ２にカラー画像が表示される。
【００２８】
そして、コントローラ５は、１ライン目の走査線Ｂ１から順次走査してＥＬディスプレイ２に画像を表示させ、ｎライン目の走査線Ｂｎまで走査が終了すると、再び１ライン目の走査線Ｂ１から走査を開始して、次フレームの画像を表示させている。
【００２９】
又、このコントローラ５は、ＥＬディスプレイ２の走査が下端（ｎライン目）の走査線Ｂｎから上端（１ライン目）の走査線Ｂ１に戻る際に、走査線Ｂ１〜Ｂｎを走査するタイミングを計るための信号や、データ線Ａ１〜Ａｎに発光電流を供給するタイミングを計るための信号等、各種信号の同期を計っている。尚、本実施形態では、この同期期間は、各走査線Ｂ１〜Ｂｎを走査する前記所定時間ｔと同じ長さの時間に設定されている。
【００３０】
この同期期間中において、本実施形態のコントローラ５は、図１及び図２に示すように、同期期間直後に走査する１ライン目の走査線Ｂ１に隣接した２ライン目の走査線Ｂ２を走査する（画像表示期間と同様に、走査線Ｂ２を所定時間ｔだけグランドＧＮＤに接続して、グランドＧＮＤレベルにする）。つまり、コントローラ５は、同期期間直後である１ライン目のＥＬ素子Ｃ11〜Ｃ1nを発光させる場合と、２ライン目以降のＥＬ素子Ｃ21〜Ｃnnを発光させる場合とを同じ状況とする。尚、この場合、コントローラ５は、全てのデータ線Ａ１〜ＡｎをグランドＧＮＤに接続又は開放した状態としている。
【００３１】
ここで、２ライン目以降のＥＬ素子Ｃ21〜Ｃnnを発光させる際には、その直前において、その上段の走査線Ｂ１〜Ｂn-1が走査されてグランドＧＮＤに接続されているため、上段ラインのＥＬ素子Ｃ11〜Ｃ(n-1)nには、逆バイアス電圧が生じず、該素子Ｃ11〜Ｃ(n-1)nの寄生容量には逆方向の電荷が蓄積されない。従って、１ライン分だけＥＬ素子Ｃ11〜Ｃ(n-1)nの寄生容量に逆方向の電荷が蓄積されていないため、その分、発光時の負荷が軽減されている。
【００３２】
又、１ライン目のＥＬ素子Ｃ11〜Ｃ1nを発光させる際においても、その直前において、２ライン目の走査線Ｂ２が走査されてグランドＧＮＤに接続されていたため、２ライン目のＥＬ素子Ｃ21〜Ｃ2nには、逆バイアス電圧が生じず、該素子Ｃ21〜Ｃ2nの寄生容量には逆方向の電荷が蓄積されない。従って、１ライン目のＥＬ素子Ｃ11〜Ｃ1nを発光させる際においても、１ライン分だけＥＬ素子Ｃ21〜Ｃ2nの寄生容量に逆方向の電荷が蓄積されていないため、２ライン目以降のＥＬ素子Ｃ21〜Ｃnnを発光させる際と同様に発光時の負荷が軽減される。
【００３３】
これにより、同期期間直後である１ライン目のＥＬ素子Ｃ11〜Ｃ1nの発光輝度も２ライン目以降の他のＥＬ素子Ｃ21〜Ｃnnの発光輝度と同様になるため、本実施形態のＥＬディスプレイ装置１においては、ＥＬ素子Ｃ11〜Ｃnnの発光輝度がいずれのラインにおいても均一化される。
【００３４】
上記したように、本実施形態では、以下のような効果を得ることができる。
（１）本実施形態では、同期期間中においても、走査線Ｂ２（２ライン目）を走査するようにした。これにより、同期期間直後である１ライン目のＥＬ素子Ｃ11〜Ｃnnを発光させる場合と、２ライン目以降のＥＬ素子Ｃ21〜Ｃnnを発光させる場合とを同じ状況とすることができる。そのため、各素子Ｃ11〜Ｃnnの発光輝度をいずれのラインにおいても均一化することができる。
【００３５】
（２）本実施形態では、同期期間中における走査線Ｂ２の走査時間ｔを、画像表示期間中における走査線Ｂ１〜Ｂｎの走査時間ｔと同じとした。これにより、同期期間直後である１ライン目のＥＬ素子Ｃ11〜Ｃnnを発光させる場合と、２ライン目以降のＥＬ素子Ｃ21〜Ｃnnを発光させる場合とを確実に同じ状況とすることができる。そのため、各素子Ｃ11〜Ｃnnの発光輝度をいずれのラインにおいても確実に均一化することができる。しかも、同期期間中における走査線Ｂ２の走査時間を特別に設定する必要がない。そのため、同期期間中における走査線Ｂ２の走査を容易とすることができ、コントローラ５の制御が複雑化しない。
【００３６】
（３）本実施形態では、同期期間中においては、同期期間直後に走査する走査線Ｂ１（１ライン目）に隣接した走査線Ｂ２（２ライン目）を走査するようにした。これにより、同期期間直後である１ライン目のＥＬ素子Ｃ11〜Ｃnnを発光させる場合と、２ライン目以降のＥＬ素子Ｃ21〜Ｃnnを発光させる場合とを確実に同じ状況とすることができる。そのため、各素子Ｃ11〜Ｃnnの発光輝度をいずれのラインにおいても確実に均一化することができる。
【００３７】
尚、実施形態は前記に限定されず、例えば、次の態様に変更してもよい。
○上記実施形態では、同期期間を走査線Ｂ１〜Ｂｎを走査する時間ｔと同じとし、同期期間中の走査線Ｂ２の走査時間ｔを、画像表示期間中の走査線Ｂ１〜Ｂｎの走査時間ｔと同じとした。この同期期間及び該期間中の走査時間を適宜変更してもよい。
【００３８】
例えば、画像表示期間中の走査線Ｂ１〜Ｂｎの走査時間ｔより同期期間が長くてもよい。この場合、同期期間中の走査線の走査時間と、画像表示期間中の走査線の走査時間とを同じとすることが望ましい。このようにすれば、同期期間中の走査線の走査時間を特別に設定する必要がない。そのため、同期期間中の走査線の走査を容易とすることができる。又、この場合、同期期間中の走査時間を画像表示期間の直前位置に設定することが望ましい。このようにすれば、画像表示期間の直前に走査線が走査されるので、同期期間直後にＥＬ素子を発光させる場合と、それ以外の画像表示期間中でＥＬ素子を発光させる場合とが確実に同じ状況となる。そのため、各素子の発光輝度をいずれのラインにおいても均一化することができる。
【００３９】
又、同期期間を画像表示期間中の走査線Ｂ１〜Ｂｎの走査時間ｔより短くしてもよい。この場合、同期期間中の走査線の走査時間も画像表示期間中の走査線の走査時間より短くなる。
【００４０】
○上記実施形態では、同期期間中において、同期期間直後に走査する走査線Ｂ１（１ライン目）に隣接した走査線Ｂ２（２ライン目）を走査するようにしたが、同期期間直後に走査する走査線に隣接していない走査線を走査するようにしてもよい。
【００４１】
○上記実施形態のＥＬディスプレイ装置１の回路構成を適宜変更してもよい。例えば、ＥＬディスプレイ２を２以上の複数に分割して画像を表示するようにしてもよい。例えば、ＥＬディスプレイ２を上下に２分割して画像を表示する構成とし、上画面及び下画面の上端（１ライン目）から下端（ｎライン目）までともに走査線を順次走査し、更に下端から上端に戻る際に同期期間を設ける場合、その同期期間に上画面及び下画面の２ライン目の走査線をそれぞれ走査する。これにより、上記実施形態と同様に、上画面及び下画面それぞれの１ライン目のＥＬ素子を発光させる場合と、２ライン目以降のＥＬ素子を発光させる場合とを同じ状況とすることができる。そのため、上画面及び下画面それぞれの各素子の発光輝度をいずれのラインにおいても均一化することができる。
【００４２】
○上記実施形態では、ＥＬディスプレイ２を有機ＥＬ素子Ｃ11〜Ｃnnを用いて構成したが、無機ＥＬ素子を用いて構成したＥＬディスプレイであってもよい。○上記実施形態では、カラー画像が表示可能なＥＬディスプレイ装置１に実施したが、単一色で画像を表示するＥＬディスプレイ装置に実施してもよい。
【００４３】
○上記実施形態のＥＬディスプレイ装置１を、携帯電話以外の装置に使用してもよい。
前記実施形態及び別例から把握できる技術的思想について、以下に記載する。
【００４４】
（１）  複数本の走査線と複数本のデータ線との各交点位置にＥＬ素子をそれぞれ接続してなるＥＬディスプレイと、
前記各走査線を順次所定数走査しながら、この走査に同期して走査された走査線に接続されるＥＬ素子にデータ線を介して発光電流を供給して画像を表示する画像表示期間と、画像を表示するための各種信号の同期を計る同期期間とを有し、該同期期間を画像表示期間に割り込ませるように駆動制御する駆動制御手段とを備えたＥＬディスプレイ装置であって、
前記駆動制御手段は、前記同期期間中においても前記画像表示期間と同様に、前記走査線を所定数走査するようにしたＥＬディスプレイ装置。
【００４５】
（２）  前記駆動制御手段は、前記同期期間中における走査線の走査時間を、前記画像表示期間中における走査線の走査時間と同じとしている上記（１）に記載のＥＬディスプレイ装置。
【００４６】
（３）  前記駆動制御手段は、前記同期期間中における走査線の走査時間を、前記画像表示期間の直前位置に設定している上記（１）又は（２）に記載のＥＬディスプレイ装置。
【００４７】
（４）  前記駆動制御手段は、前記画像表示期間中においては、前記ＥＬディスプレイの第１端部に位置する前記走査線から第２端部に位置する該走査線に向かって順次走査し、第２端部に位置する該走査線の走査が終了すると、再び第１端部に位置する該走査線から走査を開始するものであって、
前記同期期間中においては、該同期期間直後に走査する前記走査線に隣接した該走査線を走査する上記（１）〜（３）のいずれか１項に記載のＥＬディスプレイ装置。
【００４８】
（５）  前記駆動制御手段は、前記走査線を走査する際、該走査線をグランドに接続する上記（１）〜（４）のいずれか１項に記載のＥＬディスプレイ装置。
（６）  前記ＥＬ素子は、有機ＥＬ素子である上記（１）〜（５）のいずれか１項に記載のＥＬディスプレイ装置。
【００４９】
【発明の効果】
以上詳述したように本発明によれば、各素子の発光輝度を均一化することができるＥＬディスプレイの駆動方法を提供することができる。
【図面の簡単な説明】
【図１】  本実施形態のＥＬディスプレイ動作を説明するための説明図。
【図２】  ＥＬディスプレイの動作を説明するための波形図。
【図３】  ＥＬディスプレイ装置のブロック図。
【図４】  従来のＥＬディスプレイ動作を説明するための説明図。
【図５】  ＥＬディスプレイの動作を説明するための波形図。
【符号の説明】
２…ＥＬディスプレイ、Ａ１〜Ａｎ…データ線、Ｂ１〜Ｂｎ…走査線、Ｃ11〜Ｃnn…ＥＬ素子としての有機ＥＬ素子、ｔ…時間、ＧＮＤ…グランド。
【図１】
0003671916.tif 000002
【図２】
0003671916.tif 000003
【図３】
0003671916.tif 000004
【図４】
0003671916.tif 000005
【図５】
0003671916.tif 000006